(57)【要約】【課題】タッチ操作によって入力操作を行うことが可能な電子機器で、誤操作を生じることなく、タッチ操作による入力操作をより確実に行うことを可能にする技術を提供する。【解決手段】電子機器１００は、表示部１１１に対するタッチ操作を第１の操作として検知すると、そのタッチ操作が行われた領域に対応する入力を示す情報を、当該領域の表示態様の変更等によってユーザに報知する。更に、電子機器１００は、ユーザのタッチ操作を検知している状態で、操作対象となった領域を押下する第２の操作を検知すると、入力を確定すべきと判断し、操作対象となった領域に対応する入力を、タッチ操作による入力として受け付ける。【選択図】図１
2014120951.tif 000002
【特許請求の範囲】
【請求項１】
タッチ操作によって入力を受け付ける表示部と、
前記表示部に対するタッチ操作を第１の操作として検知する第１の検知手段と、
前記第１の検知手段によって前記第１の操作が検知されると、前記表示部の表示領域内の、前記第１の操作が行われた領域に対応する入力を示す情報を、ユーザに報知する報知手段と、
前記第１の検知手段によって前記第１の操作が検知されている状態で、前記第１の操作が行われた領域を押下する第２の操作を検知する第２の検知手段と、
前記第２の検知手段によって前記第２の操作が検知されると、前記第１の操作及び前記第２の操作が行われた領域に対応する入力を、前記タッチ操作による入力として受け付ける受付手段と
を備えることを特徴とする電子機器。
【請求項２】
前記報知手段は、
前記第１の操作が行われた領域に対応する入力を示す情報を、当該領域内の表示態様の変更、当該入力を示す情報の表示出力、及び当該入力を示す情報の音声出力の少なくとも１つによって、ユーザに報知する
ことを特徴とする請求項１に記載の電子機器。
【請求項３】
前記受付手段は、
前記第１の検知手段によって前記第１の操作が検知されている状態から、前記第２の検知手段によって前記第２の操作が検知されることなく、前記第１の検知手段によって前記第１の操作が検知されない状態に変化すると、前記タッチ操作による入力を受け付けることなく当該入力の受け付けを解除する
ことを特徴とする請求項１または２に記載の電子機器。
【請求項４】
前記タッチ操作が行われた際に、前記表示領域内の当該タッチ操作が行われた領域に加えられる押圧力を検知するセンサを更に備え、
前記第１の検知手段は、
前記表示部に対するタッチ操作が行われた際に、前記センサによって検知される前記押圧力が第１の閾値を越えると、前記第１の操作を検知し、
前記第２の検知手段は、
前記第１の操作が検知されている状態で、前記センサによって検知される前記押圧力が、前記第１の閾値よりも高い第２の閾値を越えると、前記第２の操作を検知する
ことを特徴とする請求項１または２に記載の電子機器。
【請求項５】
前記受付手段は、
前記第１の検知手段によって前記第１の操作が検知された後に、前記センサによって検知される前記押圧力が前記第１の閾値以下に変化すると、前記タッチ操作による入力を受け付けることなく当該入力の受け付けを解除する
ことを特徴とする請求項４に記載の電子機器。
【請求項６】
前記センサは、静電容量方式のタッチセンサであり、静電容量の変化に基づいて前記押圧力を検知することを特徴とする請求項４または５に記載の電子機器。
【発明の詳細な説明】
【技術分野】
【０００１】
本発明は、ユーザがタッチ操作によって入力操作を行うことが可能な電子機器に関するものである。
【背景技術】
【０００２】
従来、携帯電話等の電子機器では、ユーザの入力操作を受け付けるための入力デバイス（ユーザインタフェース）として、タクトスイッチ等のメカスイッチを採用したものが主流であった。近年では、スマートフォンやタブレット端末等の普及に伴って、タッチパネル式の入力デバイスを備え、タッチ操作による入力操作が可能な電子機器が増加してきている。しかし、タッチ操作による入力操作では、メカスイッチによる入力操作と比較して、誤操作が生じやすい。特に、タッチパネル上に点字を設けることができないため、一般には点字を利用して入力操作を行う視覚障害者は、タッチパネルを利用した入力操作を行うことが難しい。
【０００３】
特許文献１には、タッチセンサのタッチ面に対する押圧過重に応じて複数段階で入力を受け付けることで、複数の入力を受付可能な、タッチパネル式の入力デバイスを備えた電子機器が記載されている。この電子機器では、第１段階の入力を受け付けた後、第１段階の入力の受け付けを解除する第１の荷重基準と、第２段階の入力を受け付ける第２荷重基準とのうちの少なくとも一方の荷重基準を制御する。これにより、ユーザの意図しない入力の受け付けまたは入力の受け付けの解除が行われる可能性を低減している。また、第１段階の入力を受け付けた場合に、タッチセンサを振動させ、タッチ面をタッチしている指に対して触感を与えることで、第１段階の入力を受け付けたことをユーザに通知している。
【先行技術文献】
【特許文献】
【０００４】
【特許文献１】特開２０１１−２１６１３１号公報
【発明の概要】
【発明が解決しようとする課題】
【０００５】
上述のようなタッチパネル式の入力デバイスでは、タッチ操作が行われると、当該タッチ操作に対応する（第１段階の）入力をそのまま受け付けていた（検知していた）。このため、例えば、表示部に入力用オブジェクトが複数表示されていた場合に、いずれかのオブジェクトに対するタッチ操作が行われた場合、ユーザが意図していないオブジェクトに対して誤ってタッチ操作を行ったとしても、当該オブジェクトに対応する（第１段階の）入力がそのまま誤って受け付けられてしまう問題がある。また、ユーザが視覚障害者である場合には、タッチ操作によって、誤操作を行うことなく入力操作を行うことが難しい問題がある。
【０００６】
このため、タッチ操作による入力操作を行う際に、そのタッチ操作によって、ユーザが意図した入力が電子機器によって受け付けられるか否かを、ユーザ自身が確認できることが望ましい。また、ユーザが視覚障害者であったとしても、タッチ操作によって確実に正しい入力操作を行うことができることが望ましい。
【０００７】
本発明は、上述の問題に鑑みてなされたものである。本発明は、タッチ操作によって入力操作を行うことが可能な電子機器で、誤操作を生じることなく、タッチ操作による入力操作をより確実に行うことを可能にする技術を提供することを目的としている。
【課題を解決するための手段】
【０００８】
本発明は、例えば、電子機器として実現できる。本発明の一態様に係る電子機器は、タッチ操作によって入力を受け付ける表示部と、電子機器の表示部に対するタッチ操作を第１の操作として検知する第１の検知手段と、第１の検知手段によって第１の操作が検知されると、表示部の表示領域内の、第１の操作が行われた領域に対応する入力を示す情報を、ユーザに報知する報知手段と、第１の検知手段によって第１の操作が検知されている状態で、第１の操作が行われた領域を押下する第２の操作を検知する第２の検知手段と、第２の検知手段によって第２の操作が検知されると、第１の操作及び第２の操作が行われた領域に対応する入力を、タッチ操作による入力として受け付ける受付手段とを備えることを特徴とする。
【発明の効果】
【０００９】
本発明によれば、タッチ操作によって入力操作を行うことが可能な電子機器で、誤操作を生じることなく、タッチ操作による入力操作をより確実に行うことを可能にする技術を提供できる。
【図面の簡単な説明】
【００１０】
【図１】本発明の実施形態に係る電子機器１０の構成例を示すブロック図。
【図２】本発明の実施形態に係る電子機器１０において、タッチパネル２０１を用いたタッチ操作による入力操作が行われた場合の、ユーザへの入力情報の報知方法の一例を示す図。
【図３】本発明の実施形態に係る電子機器１０において、タッチパネル２０１を用いたタッチ操作による入力操作が行われた場合の、ユーザへの入力情報の報知方法の別の例を示す図。
【図４】本発明の実施形態に係る電子機器１０における、感圧センサ１１３で検知される押圧力と、タッチ操作（第１及び第２の操作）の検知との関係を示す図。
【発明を実施するための形態】
【００１１】
以下、本発明を実施するための形態について図面を用いて説明する。なお、以下の実施形態は特許請求の範囲に係る発明を限定するものでなく、また実施形態で説明されている特徴の組み合わせの全てが発明の解決手段に必須のものとは限らない。
【００１２】
本実施形態では、スマートフォン、タブレット端末等の電子機器に本発明を適用した例について説明する。なお、本発明は、タッチ操作によって入力を受け付ける電子機器であれば適用可能である。例えば、画像形成装置（複合機、プリンタ等）、画像読取装置（スキャナ）、ＦＡＸ、デジタルカメラ、デジタルビデオカメラ、テレビ等の電子機器のうちで、タッチパネル式の入力デバイスを備えた電子機器に対しても適用可能である。
【００１３】
＜電子機器の構成＞
まず、図１を参照して、本実施形態に係る電子機器１００の構成について説明する。電子機器１００は、ＣＰＵ１０１、ＲＯＭ１０２、ＲＡＭ１０３、ハードディスクドライブ（ＨＤＤ）１０４、操作部１０５、音声出力部１０６及び通信部１０７を備え、これらのデバイスはバス１２０を介して相互に通信可能に接続されている。なお、電子機器１００は、図１に示すデバイス以外のデバイスを更に備えていてもよい。例えば、電子機器１００は、ＵＳＢ等によりデータを送受信可能な外部機器が接続される接続ポートを更に備えていてもよい。
【００１４】
ＣＰＵ１０１は、電子機器１００が備える各デバイスの動作を制御する。ＣＰＵ１０１は、ＲＯＭ１０２またはＨＤＤ１０４に格納されている制御プログラムを読み出し、ＲＡＭ１０３に展開して実行することによって、各デバイスの動作を制御する。
【００１５】
ＲＯＭ１０２は、不揮発性メモリであり、ＣＰＵ１０１が各デバイスの動作を制御するための制御プログラムや、各デバイスの動作に必要となるパラメータ等が格納される。ＲＡＭ１０３は、揮発性メモリであり、ＣＰＵ１０１のメインメモリ、ワークエリア等の一時記憶領域として用いられる。ＨＤＤ１０４は、文書データ、画像データ等の各種のデータを格納可能な、不揮発性の記憶デバイスである。
【００１６】
操作部１０５は、表示部１１１、操作入力部１１２、及び感圧センサ１１３を備えている。表示部１１１は、液晶ディスプレイ（ＬＣＤ）等の表示デバイスである。表示部１１１は、電子機器１００における各種の情報、操作画面等を表示する。操作入力部１１２は、タッチパネル、キーボード（ハードキー）等の入力デバイスを備える。操作入力部１１２のタッチパネルは、表示部１１１の表面に設けられている。
【００１７】
なお、ユーザが指を接触させる（タッチ操作を行う）のはタッチパネルの表面であるが、本実施形態では、ユーザがタッチパネルに対して指を接触させた場合を、表示部１１１の表示面に対して接触させたものとして説明する場合がある。また、操作部１０５において、タッチパネルに対するタッチ操作を受け付けた場合を、表示部１１１に表示されている画面（表示領域）に含まれる、当該タッチ操作が行われた領域（位置）の要素に対する操作を受け付けたものとして説明する場合がある。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いてもよい。
【００１８】
感圧センサ１１３は、ユーザが表示部１１１（タッチパネル）に対してタッチ操作を行った際に、表示部１１１の表示領域内の当該タッチ操作が行われた領域に加えられる押圧力を検知するセンサに相当する。感圧センサ１１３は、圧電素子等の、加えられた力に反応する素子で構成される。なお、感圧センサ１１３は、静電容量の変化に基づいて押圧力を検知する、静電容量方式のタッチセンサであってもよく、この場合、操作入力部１１２のタッチパネルと一体として構成されてもよい。
【００１９】
音声出力部１０６は、スピーカを備えており、ボタンやタッチパネルを操作された際の操作音等を当該スピーカから音声出力する。また、音声出力部１０６は、後述するように、表示部１１１に対するタッチ操作がタッチパネルで行われた際に、表示部１１１の表示領域内の、当該タッチ操作が行われた領域に対応する入力を示す情報を音声出力することも可能である。
【００２０】
通信部１０７は、無線ローカルエリアネットワーク（ＬＡＮ）、近距離無線通信等の無線通信規格に対応したネットワークインタフェース（Ｉ／Ｆ）であり、所定のプロトコルに従って、無線通信ネットワークを介して外部装置との通信（データの送受信）を行う。
【００２１】
＜電子機器の動作＞
次に、図２乃至図４を参照して、本実施形態に係る電子機器１００の、タッチパネル（操作入力部１１２）でタッチ操作によってユーザの入力操作を受け付けた際の動作について説明する。本実施形態に係る電子機器１００は、表示部１１１（タッチパネル）に対するタッチ操作によって入力を受け付ける場合、２段階の操作（第１の操作及び第２の操作）によって、入力を受け付ける。
【００２２】
具体的には、ＣＰＵ１０１は、表示部１１１に対するタッチ操作を第１の操作として検知すると（第１の検知動作）、そのタッチ操作が行われた領域に対応する入力を示す情報を、ユーザに報知する。これにより、ユーザに対して、ユーザが意図した入力が電子機器１００によって正しく受け付けられることになるか否か（即ち、誤操作が生じうるか否か）についての確認を促す。
【００２３】
ＣＰＵ１０１は、例えば、操作対象となった領域内の表示態様の変更（文字の大きさを変更する、当該領域の表示を明るくする等）を行うことによって、入力を示す情報をユーザに報知する。あるいは、ＣＰＵ３０１は、音声出力部１０６に、入力を示す情報を音声出力させてもよいし、入力を示す情報そのものの表示出力（例えば、入力対象の文字を、表示部１１１の表示領域内の任意の位置に、他の文字等と区別可能に表示）を行ってもよい。更には、上述の１つ以上の報知動作を組み合わせて実行してもよい。
【００２４】
ユーザは、タッチ操作を継続した状態（タッチパネルにタッチしたまま）で、電子機器１００から報知された情報に基づいて、タッチ操作によって入力される予定の情報を確認する。確認した入力が、ユーザが意図したものである場合には、ユーザは、タッチ操作を行っている領域を押下する（押し込む）ことによって、入力を確定させることが可能である。ＣＰＵ１０１は、ユーザのタッチ操作を検知している状態で、操作対象となった領域を押下する第２の操作を検知すると（第２の検知動作）、入力を確定すべきと判断し、操作対象となった領域に対応する入力を、タッチ操作による入力として受け付ける。このようにして、ＣＰＵ３０１は、タッチ操作によって入力を受け付ける受付処理を行う。
【００２５】
一方、確認した入力が、ユーザが意図したものではない場合には、ユーザは、タッチ操作を一旦止める（即ち、タッチパネルから指等を離す）ことによって、入力の受け付けを解除して、再度タッチ操作をやり直すことが可能になる。ＣＰＵ３０１は、ユーザのタッチ操作を検知している状態から、操作対象となった領域を押下する第２の操作を検知することなく、タッチ操作が検知されない状態に変化すると、タッチ操作による入力を受け付けることなく当該入力の受け付けを解除する。
【００２６】
なお、本実施形態では、ＣＰＵ３０１は、表示部１１１（タッチパネル）に対する上述の第１の操作及び第２の操作を、図３を用いて説明するように、感圧センサ１１３からの出力に基づいて検知する。
【００２７】
図２（Ａ）は、表示部１１１の表示領域（操作入力部１１２のタッチパネル２０１）に対してタッチ操作（第１の操作）が行われた状態を示しており、ユーザは、文字「５」が入力情報として表示されている領域に対してタッチ操作を行っている。ＣＰＵ１０１は、このタッチ操作の検知に応じて、タッチ操作が行われた領域の表示態様を変更する（文字「５」のサイズを大きくする）ことによって、当該領域に対応する入力の確認を、ユーザに促している。これにより、タッチ操作による入力操作を、誤操作を生じることなく、ユーザがより確実に行うことが可能になる。
【００２８】
図２（Ｂ）は、入力の確認後、タッチパネル２０１にタッチしている状態から更にタッチパネル２０１を押下して（押し込んで）、入力を確定させる確定操作（第２の操作）がユーザによって行われた状態を示している。ＣＰＵ３０１は、この確定操作に応じて入力を確定する（受け付ける）。更に、図２（Ｂ）に示すように、ＣＰＵ３０１は、入力が確定したことをユーザが認識できるように、タッチ操作が行われた領域の表示態様を、更に変更してもよい。図２（Ｂ）では、図２（Ａ）の場合と比べて、文字「５」のサイズを更に大きく表示することによって、入力が確定したことをユーザに示している。
【００２９】
次に、図３（Ａ）及び（Ｂ）は、図２（Ａ）及び（Ｂ）のようにタッチ操作が行われた領域の表示態様を変更するだけでなく、当該領域に対応する入力を示す情報を、スピーカ２０２から音声出力する場合を示している。このように、音声出力によって入力情報をユーザに報知することによって、ユーザが視覚障害者である場合も、誤操作を生じることなく、タッチ操作による入力操作をより確実に行うことが可能になる。
【００３０】
次に、図４は、感圧センサ１１３で検知される押圧力と、タッチ操作（第１及び第２の操作）の検知との関係を示している。ＣＰＵ３０１は、表示部１１１（タッチパネル２０１）に対する上述の第１の操作及び第２の操作を、感圧センサ１１３からの出力に基づいて、以下のようにして検知すればよい。ここで、ユーザは、図４に示す期間Ｔ１に、タッチパネル２０１に対するタッチ操作（第１の操作）を行い、また、図４に示す期間Ｔ２に、タッチ操作を行っている領域を押下する操作（第２の操作）を行っている。図４では、ユーザによるこれらの操作に応じて、感圧センサ１１３からの出力が示す押圧力Ｐが変化する様子を示している。なお、感圧センサ１１３がタッチセンサである場合には、図４に示す押圧力Ｐは静電容量に比例する。
【００３１】
本実施形態では、ＣＰＵ１０１は、感圧センサ１１３からの出力が示す押圧力Ｐが、図４に示す第１の閾値（ＰTH1）を越えると（Ｐ＞ＰTH1）、上述の第１の操作が行われたことを検知する。また、ＣＰＵ１０１は、感圧センサ１１３からの出力が示す押圧力Ｐが、更に第２の閾値（ＰTH2）を越えると（Ｐ＞ＰTH2）、上述の第２の操作が行われたことを検知する。一方で、ＣＰＵ１０１は、第１の操作を検知した後に、押圧力Ｐが第１の閾値以下（ＰTH1以下）に変化した場合には、タッチ操作による入力を受け付けることなく、当該入力の受け付けを解除する。
【００３２】
以上説明したように、本実施形態では、電子機器１００は、表示部１１１に対するタッチ操作を第１の操作として検知すると、そのタッチ操作が行われた領域に対応する入力を示す情報を、当該領域の表示態様の変更等によってユーザに報知する。更に、電子機器１００は、ユーザのタッチ操作を検知している状態で、操作対象となった領域を押下する第２の操作を検知すると、入力を確定すべきと判断し、操作対象となった領域に対応する入力を、タッチ操作による入力として受け付ける。本実施形態によれば、タッチ操作に対応する入力を受け付ける前に、ユーザが意図した入力が電子機器１００によって正しく受け付けられることになるか否か（即ち、誤操作が生じうるか否か）についての確認を、ユーザに促すことができる。これにより、タッチ操作による入力操作を、誤操作を生じることなく、ユーザがより確実に行うことが可能になる。また、ユーザが視覚障害者であっても、タッチ操作による入力操作を、より確実に行うことが可能になる。
【図１】
2014120951.tif 000003
【図２】
2014120951.tif 000004
【図３】
2014120951.tif 000005
【図４】
2014120951.tif 000006